(57)【要約】【課題】  内輪とシール部材との間の隙間方向へ向けてのグリースの流動を阻止して、軸受の外部へのグリースの漏洩を防止すること。【解決手段】  グリースは、内輪２の外周面６に形成した段差１０（傾斜）により、矢印で示すように、内輪２の軌道面２ａから保持器４方向に向けて流動する。その結果、内輪２とシール部材５との間の隙間方向へ向けてのグリースの流動が阻止される。従って、軸受の外部へのグリースの漏洩を防止することができる。その結果、例えば、作業環境や他部材への汚染を効果的に防止することができる。【選択図】  図１
2006189100.tif 000002
【特許請求の範囲】
【請求項１】
外輪と内輪の間に、転動体としての玉が転動自在に介装してあり、
外輪に、非接触タイプのシール部材が装着してあり、
外輪、内輪、玉、及びシール部材により形成される内部空間内に、グリースが封入してあるグリース封入玉軸受に於いて、
前記内輪には、当該内輪とシール部材との間の隙間方向へ向けてのグリースの流動を阻止する阻止手段が設けてあることを特徴とするグリース封入玉軸受。
【請求項２】
前記阻止手段は、内輪の外周面に形成した段差或いは傾斜であることを特徴とする請求項１に記載のグリース封入玉軸受。
【請求項３】
前記阻止手段は、内輪の外周面に形成した平行溝であることを特徴とする請求項１に記載のグリース封入玉軸受。
【請求項４】
前記阻止手段は、内輪の外周面に形成したネジ溝或いは螺旋状溝であることを特徴とする請求項１に記載のグリース封入玉軸受。
【請求項５】
前記阻止手段は、転動体としての玉の個数を制限したことを特徴とする請求項１に記載のグリース封入玉軸受。
【発明の詳細な説明】
【技術分野】
【０００１】
本発明は、非接触タイプのシール部材を装着し、内輪とシール部材との間の隙間方向へ向けてのグリースの流動を阻止して、軸受の外部へのグリースの漏洩を防止することができる、グリース封入玉軸受に関する。
【背景技術】
【０００２】
図４（ａ）は、従来例に係るグリース封入玉軸受の半断面図であり、（ｂ）は、他の従来例に係るグリース封入玉軸受の半断面図である。
【０００３】
図４（ａ）の従来例では、外輪１と内輪２との間に、転動体としての玉３が転動自在に介装してあり、玉３は、保持器４により所定間隔に保持してある。
【０００４】
外輪１の内周面の両端部には、夫々、非接触タイプのシール部材５が取付けてある。内輪２の外周面６の両端部には、シール溝７が形成してある。シール部材５の先端部と、シール溝７との間には、ラビリンスが設けてある。
【０００５】
外輪１、内輪２、玉３、及びシール部材５により形成される内部空間内には、グリースが封入してある。
【０００６】
軸受に封入したグリースは、軸受の回転により、玉３と内・外輪１，２の軌道面２ａとの接触圧により、軌道面２ａから排除されるような力を受ける。さらに、グリースは、軸受の回転により、保持器４と内・外輪１，２との間の隙間に圧力が生じて、軸受の外輪１方向に向けて流動する力を受ける。
【０００７】
その結果、外輪１の方向へのグリースの流動は、外輪１とシール部材５とが密閉してあることから、通常時には、軸受の外部に、グリースが漏洩することは、殆どない。
【０００８】
なお、図４（ｂ）の例では、シール溝７を形成することなく、シール部材５の先端部と、内輪２の外周面６との間に、若干の隙間が設けてある。
【発明の開示】
【発明が解決しようとする課題】
【０００９】
ところで、内輪２は、シール部材５の先端部との間に、ラビリンスが設けてあり、グリースは、通常時には、漏洩しないようになっている。
【００１０】
しかしながら、上記のような圧力が高くなったような場合には、グリースは、図４（ａ）（ｂ）に矢印で示すように、内輪２とシール部材５の先端部との間のラビリンス（隙間）を軸方向に通って、軸受の外部に漏洩するといったことがある。
【００１１】
本発明は、上述したような事情に鑑みてなされたものであって、内輪とシール部材との間の隙間方向へ向けてのグリースの流動を阻止して、軸受の外部へのグリースの漏洩を防止することができる、グリース封入玉軸受を提供することを目的とする。
【課題を解決するための手段】
【００１２】
上記の目的を達成するため、本発明の請求項１に係るグリース封入玉軸受は、外輪と内輪の間に、転動体としての玉が転動自在に介装してあり、
外輪に、非接触タイプのシール部材が装着してあり、
外輪、内輪、玉、及びシール部材により形成される内部空間内に、グリースが封入してあるグリース封入玉軸受に於いて、
前記内輪には、当該内輪とシール部材との間の隙間方向へ向けてのグリースの流動を阻止する阻止手段が設けてあることを特徴とする。
【００１３】
本発明の請求項２に係るグリース封入玉軸受は、前記阻止手段は、内輪の外周面に形成した段差或いは傾斜であることを特徴とする。
【００１４】
本発明の請求項３に係るグリース封入玉軸受は、前記阻止手段は、内輪の外周面に形成した平行溝であることを特徴とする。
【００１５】
本発明の請求項４に係るグリース封入玉軸受は、前記阻止手段は、内輪の外周面に形成したネジ溝或いは螺旋状溝であることを特徴とする。
【００１６】
本発明の請求項５に係るグリース封入玉軸受は、前記阻止手段は、転動体としての玉の個数を制限したことを特徴とする。
【発明の効果】
【００１７】
本発明によれば、内輪には、当該内輪とシール部材との間の隙間方向へ向けてのグリースの流動を阻止する阻止手段が設けてあることから、軸受の外部へのグリースの漏洩を防止することができる。その結果、作業環境や他部材への汚染を効果的に防止することができる。
【００１８】
特に、軸受のグリースの漏洩により、作業環境や他部材への汚染が目立つ色調の強い、例えば、黒色導電性グリースには、著しい効果を奏することができる。
【発明を実施するための最良の形態】
【００１９】
以下、本発明の実施の形態に係るグリース封入玉軸受を図面を参照しつつ説明する。
【００２０】
（第１実施の形態）
図１（ａ）は、本発明の第１実施の形態に係るグリース封入玉軸受の半断面図であり、（ｂ）は、本発明の第１実施の形態の変形例に係るグリース封入玉軸受の半断面図である。
【００２１】
図１（ａ）の本実施の形態では、外輪１と内輪２との間に、転動体としての玉３が転動自在に介装してあり、玉３は、保持器４により所定間隔に保持してある。
【００２２】
外輪１の内周面の両端部には、夫々、非接触タイプのシール部材５が取付けてある。また、シール部材５の先端部と、内輪２の外周面６との間に、若干の隙間が設けてある。
【００２３】
外輪１、内輪２、玉３、及びシール部材５により形成される内部空間内には、グリースが封入してある。
【００２４】
本実施の形態では、内輪２には、内輪２とシール部材５との間の隙間方向へ向けてのグリースの流動を阻止する阻止手段が設けてある。
【００２５】
阻止手段は、本実施の形態では、内輪２の外周面６に形成した段差１０（或いは傾斜）である。
【００２６】
グリースは、この段差１０（傾斜）により、図１（ａ）に矢印で示すように、内輪２の軌道面２ａから保持器４方向に向けて流動する。その結果、内輪２とシール部材５との間の隙間方向へ向けてのグリースの流動が阻止される。
【００２７】
従って、軸受の外部へのグリースの漏洩を防止することができる。その結果、例えば、作業環境や他部材への汚染を効果的に防止することができる。
【００２８】
特に、軸受のグリースの漏洩により、作業環境や他部材への汚染が目立つ色調の強い、例えば、黒色導電性グリースには、著しい効果を奏することができる。
【００２９】
図１（ａ）に示した「φＡ］は、内輪２の外周面６の直径であり、その上限は、組み立て時の都合により設定される。例えば、保持器４の内径以下であり、玉３の個数、玉３の径によっても制限される。また、その下限は、「φＢ」との段差１０（傾斜）が設定されていればよい。
【００３０】
図１（ｂ）の変形例では、内輪２の外周面６の両端部には、シール溝１１が形成してある。シール部材５の先端部と、シール溝１１との間には、ラビリンスが設けてある。
【００３１】
本変形例に於いても、グリースは、段差１０（傾斜）により、図１（ｂ）に矢印で示すように、内輪２の軌道面２ａから保持器４方向に向けて流動する。その結果、内輪２とシール部材５との間の隙間方向へ向けてのグリースの流動が阻止される。従って、軸受の外部へのグリースの漏洩を防止することができる。
【００３２】
（第２実施の形態）
図２（ａ）は、本発明の第２実施の形態に係るグリース封入玉軸受の半断面図であり、（ｂ）は、内輪の外周面の図である。
【００３３】
本実施の形態は、その基本的構造が上述した実施の形態と同様であり、相違する点について説明する。
【００３４】
本実施の形態では、内輪２には、内輪２とシール部材５との間の隙間方向へ向けてのグリースの流動を阻止する阻止手段が設けてある。
【００３５】
阻止手段は、本実施の形態では、内輪２の外周面６に形成した多数のグリース溜まりの平行溝１２（周方向溝）である。
【００３６】
グリースは、図２（ａ）に矢印で示すように、このグリース溜まりの平行溝１２により、一時的に貯留されると共に、軸方向外方に向けて流れることを阻止される。その結果、内輪２とシール部材５との間の隙間方向へ向けてのグリースの流動が阻止される。従って、軸受の外部へのグリースの漏洩を防止することができる。その結果、例えば、作業環境や他部材への汚染を効果的に防止することができる。
【００３７】
特に、軸受のグリースの漏洩により、作業環境や他部材への汚染が目立つ色調の強い、例えば、黒色導電性グリースには、著しい効果を奏することができる。
【００３８】
（第３実施の形態）
図３（ａ）は、本発明の第３実施の形態に係るグリース封入玉軸受の半断面図であり、（ｂ）は、内輪の外周面の図である。
【００３９】
本実施の形態は、その基本的構造が上述した実施の形態と同様であり、相違する点について説明する。
【００４０】
本実施の形態では、内輪２には、内輪２とシール部材５との間の隙間方向へ向けてのグリースの流動を阻止する阻止手段が設けてある。
【００４１】
阻止手段は、本実施の形態では、内輪２の外周面６に形成した多数のグリース溜まりのネジ溝１３（螺旋溝）である。
【００４２】
グリースは、図３（ａ）に矢印で示すように、このグリース溜まりのネジ溝１３により、一時的に貯留されると共に、軸方向外方に向けて流れることを阻止される。
【００４３】
すなわち、内輪２の外周面６にネジ溝１３（螺旋溝）を形成して、内輪２を図３（ｂ）の矢印方向に回転すると、グリースは、内輪２の軌道面２ａに戻ろうとする。即ち、グリースの戻り方向は、内輪２の回転方向の逆方向である。その結果、内輪２とシール部材５との間の隙間方向へ向けてのグリースの流動が阻止される。
【００４４】
但し、内輪２の回転方向と、ネジ溝１３（螺旋溝）の捩り方向とは、図示した方向に設定する必要がある。
【００４５】
従って、軸受の外部へのグリースの漏洩を防止することができる。その結果、例えば、作業環境や他部材への汚染を効果的に防止することができる。特に、軸受のグリースの漏洩により、作業環境や他部材への汚染が目立つ色調の強い、例えば、黒色導電性グリースには、著しい効果を奏することができる。
【００４６】
なお、本発明は、上述した実施の形態に限定されず、種々変形可能である。阻止手段は、転動体としての玉の個数を制限するものであってもよい。この場合には、軸受の内部空間容積を増大して、グリースを押し出す圧力を低減することができ、ひいては、グリースの漏洩を防止することができる。
【図面の簡単な説明】
【００４７】
【図１】（ａ）は、本発明の第１実施の形態に係るグリース封入玉軸受の半断面図であり、（ｂ）は、本発明の第１実施の形態の変形例に係るグリース封入玉軸受の半断面図である。
【図２】（ａ）は、本発明の第２実施の形態に係るグリース封入玉軸受の半断面図であり、（ｂ）は、内輪の外周面の図である。
【図３】（ａ）は、本発明の第３実施の形態に係るグリース封入玉軸受の半断面図であり、（ｂ）は、内輪の外周面の図である。
【図４】（ａ）は、従来例に係るグリース封入玉軸受の半断面図であり、（ｂ）は、他の従来例に係るグリース封入玉軸受の半断面図である。
【符号の説明】
【００４８】
１  外輪
２  内輪
２ａ  軌道面
３  玉
４  保持器
５  シール部材
６  外周面
７  シール溝
１０  段差（傾斜）
１１  シール溝
１２  グリース溜まりの平行溝（周方向溝）
１３  ネジ溝（螺旋溝）
【図１】
2006189100.tif 000003
【図２】
2006189100.tif 000004
【図３】
2006189100.tif 000005
【図４】
2006189100.tif 000006